(57)【要約】【課題】貼着対象物に対する貼着，剥離を自在に行うことができ，かつ，表示するメッセージを容易かつ安価に適宜変更することができるメッセージシートを提供すること。【解決手段】任意のメッセージを表示した差替シート５を差替え自在に挿入保持することができる差替スペース１１を有するメッセージシート１。メッセージシート１は，貼着対象物である床４１に対して着脱自在な貼着材層を裏側面に設けた基材シート２と，基材シート２の表側面に配設された透明シート３とを有する。差替スペース１１は，基材シート２と透明シート３との間に形成されている。基材シート２には，差替スペース１１の外形線の一部に沿って切込みが形成されている。基材シート２と透明シート３とは，差替スペース１１以外の領域において互いに密着固定されている。【選択図】  図１
2004184571.tif 000002
【特許請求の範囲】
【請求項１】
任意のメッセージを表示した差替シートを差替え自在に挿入保持することができる差替スペースを有するメッセージシートであって，
該メッセージシートは，貼着対象物に対して着脱自在な貼着材層を裏側面に設けた基材シートと，該基材シートの表側面に配設された透明シートとを有し，
上記差替スペースは，上記基材シートと上記透明シートとの間に形成されており，
上記基材シートには，上記差替スペースの外形線の一部に沿って切込みが形成されており，
上記基材シートと上記透明シートとは，上記差替スペース以外の領域において互いに密着固定されていることを特徴とするメッセージシート。
【請求項２】
任意のメッセージを表示した差替シートを差替え自在に挿入保持することができる差替スペースを有するメッセージシートであって，
該メッセージシートは，貼着対象物に対して着脱自在な貼着材層を表側面に設けた透明シートと，該透明シートの裏側面に配設された基材シートとを有し，
上記差替スペースは，上記基材シートと上記透明シートとの間に形成されており，
上記透明シートには，上記差替スペースの外形線の一部に沿って切込みが形成されており，
上記基材シートと上記透明シートとは，上記差替スペース以外の領域において互いに密着固定されていることを特徴とするメッセージシート。
【請求項３】
任意のメッセージを表示した差替シートを差替え自在に挿入保持することができる差替スペースを有するメッセージシートであって，
該メッセージシートは，貼着対象物に対して着脱自在な貼着材層を表側面に設けた透明シートと，該透明シートの裏側面に配設された基材シートとを有し，
上記差替スペースは，上記基材シートと上記透明シートとの間に形成されており，
上記基材シートには，上記差替スペースの外形線の一部に沿って切込みが形成されており，
上記基材シートと上記透明シートとは，上記差替スペース以外の領域において互いに密着固定されていることを特徴とするメッセージシート。
【請求項４】
請求項１〜３のいずれか１項において，上記差替スペースは四角形状であり，上記切込みは四角形状の上記差替スペースの３辺に沿って形成されていることを特徴とするメッセージシート。
【請求項５】
請求項１〜４のいずれか１項において，上記貼着材層は，ミクロ吸盤によって形成されていることを特徴とするメッセージシート。
【請求項６】
請求項１〜４のいずれか１項において，上記貼着材層は，ウレタン糊によって形成されていることを特徴とするメッセージシート。
【請求項７】
請求項１〜６のいずれか１項において，上記メッセージシートは，０．１〜１．５ｍｍの厚みを有することを特徴とするメッセージシート。
【発明の詳細な説明】
【０００１】
【技術分野】
本発明は，広告，案内，情報等，任意のメッセージを表示した差替シートを差替え自在に挿入保持して，壁，床，窓ガラス等に貼り付けることができるメッセージシートに関する。
【０００２】
【従来技術】
従来より，広告，案内，情報等のメッセージを表示して，店頭の窓ガラス等に貼り付けることができるメッセージシートがある（特許文献１参照）。
図１３に示すごとく，該メッセージシート９は，シート状基材９１と，該シート状基材９１の一方の面に形成された表示層９２と，該表示層９２上に形成された粘着層９３とからなる。上記表示層９２には文字，図形等のメッセージが印刷されている。そして，上記粘着層９３は剥離自在性を有し，上記メッセージシート９を窓ガラス４３に自在に貼着し，また剥離することができる。
【０００３】
【特許文献１】
特開２００１−２２０５５８号公報
【０００４】
【解決しようとする課題】
しかしながら，上記従来のメッセージシート９は，上記表示層９２を他の部材と一体化してなるため，その表示内容を変更することはできない。そのため，例えば，バーゲン情報，イベント情報，レストランにおけるメニュー等，時期によって内容を変更する必要のあるメッセージを表示する場合には，変更の都度，新たなメッセージシートを作成する必要がある。
それ故，上記メッセージシート９を用いた宣伝広告等は，コストが高くなるという問題がある。
【０００５】
本発明は，かかる従来の問題点に鑑みてなされたもので，貼着対象物に対する貼着，剥離を自在に行うことができ，かつ，表示するメッセージを容易かつ安価に適宜変更することができるメッセージシートを提供しようとするものである。
【０００６】
【課題の解決手段】
第１の発明は，任意のメッセージを表示した差替シートを差替え自在に挿入保持することができる差替スペースを有するメッセージシートであって，
該メッセージシートは，貼着対象物に対して着脱自在な貼着材層を裏側面に設けた基材シートと，該基材シートの表側面に配設された透明シートとを有し，
上記差替スペースは，上記基材シートと上記透明シートとの間に形成されており，
上記基材シートには，上記差替スペースの外形線の一部に沿って切込みが形成されており，
上記基材シートと上記透明シートとは，上記差替スペース以外の領域において互いに密着固定されていることを特徴とするメッセージシートにある（請求項１）。
【０００７】
次に，本発明の作用効果につき説明する。
本発明のメッセージシートは，例えば床面，壁面等に貼着する（実施例１，２参照）。
上記メッセージシートは，上述のごとく，任意のメッセージを表示した差替シートを差替え自在に挿入保持することができる差替スペースを有する。そのため，一つの上記メッセージシートによって表示するメッセージ内容を，容易かつ安価に適宜変更することができる。
それ故，メッセージ内容を変更したい場合にも，上記差替シートを差替えるだけで済むため，多種のメッセージシートを用意する必要がなく，広告費用等を削減することができる。
【０００８】
また，上記差替スペースは透明シートによって覆われている。そのため，上記差替スペースに挿入保持された差替シートの表示内容を，表側から視認することができると共に，差替シートを保護することができる。
また，上記差替スペースの外形線の一部に沿って，上記基材シートに切込みが形成されており，上記差替スペース以外の領域において，上記基材シートと透明シートとが密着固定されている。そのため，上記差替スペースは，該差替スペースの領域における基材シートと透明シートとを分離することにより，上記切込みから開口させることができる。これにより，容易に上記差替シートを差し替えることができる。
【０００９】
また，上記貼着材層は，貼着対象物に対して着脱自在に貼着できるため，上記メッセージシートは，貼着対象物に対する貼着，剥離を自在に行うことができる。従って，上記メッセージシートを自由な位置に適宜変更して貼着することができる。
【００１０】
また，上記メッセージシートを，例えば，デパート，スーパーマーケット，ホテル，地下街通路などの床面に貼着して使用する場合にも，貼着・剥離が自在なため，その貼着位置を，広告，案内，通路表示などのメッセージ内容に応じて任意に変更することができる。また，床面使用時に，靴によってメッセージシートが汚れても，その内部の差替スペース，差替シートは何ら汚れることがない。
【００１１】
以上のごとく，本発明によれば，貼着対象物に対する貼着，剥離を自在に行うことができ，かつ，表示するメッセージを容易かつ安価に適宜変更することができるメッセージシートを提供することができる。
【００１２】
第２の発明は，任意のメッセージを表示した差替シートを差替え自在に挿入保持することができる差替スペースを有するメッセージシートであって，
該メッセージシートは，貼着対象物に対して着脱自在な貼着材層を表側面に設けた透明シートと，該透明シートの裏側面に配設された基材シートとを有し，
上記差替スペースは，上記基材シートと上記透明シートとの間に形成されており，
上記透明シートには，上記差替スペースの外形線の一部に沿って切込みが形成されており，
上記基材シートと上記透明シートとは，上記差替スペース以外の領域において互いに密着固定されていることを特徴とするメッセージシートにある（請求項２）。
【００１３】
上記メッセージシートにおいては，上記透明シートが表側面に貼着材層を設けてなる。そのため，上記透明シートの表側面において，貼着対象物に上記メッセージシートを貼着することができる。それ故，該メッセージシートを，例えば窓ガラス，ショーウィンドウ等の透明な貼着対象物に貼着することにより，上記差替スペースに挿入保持された差替シートのメッセージを，上記窓ガラス等の貼着対象物を介して視認することができる（実施例３参照）。
【００１４】
また，上記第１の発明と同様に，上記メッセージシートは上記差替スペースを有するため，一つの上記メッセージシートによって表示するメッセージ内容を，容易かつ安価に適宜変更することができる。
また，上記差替スペースは透明シートによって覆われているため，上記差替スペースに挿入保持された差替シートの表示内容を，表側から視認することができると共に，差替シートを保護することができる。
【００１５】
また，上記差替スペースの外形線の一部に沿って，上記透明シートに切込みが形成されており，上記差替スペース以外の領域において，上記基材シートと透明シートとが密着固定されている。そのため，上記差替スペースを上記切込みから開口させることができ，容易に上記差替シートを差し替えることができる。
【００１６】
また，上記透明シートの表側面に設けた上記貼着材層は，貼着対象物に対して着脱自在に貼着できるため，上記メッセージシートは，貼着対象物に対する貼着，剥離を自在に行うことができる。
【００１７】
以上のごとく，本発明によれば，貼着対象物に対する貼着，剥離を自在に行うことができ，かつ，表示するメッセージを容易かつ安価に適宜変更することができるメッセージシートを提供することができる。
【００１８】
第３の発明は，任意のメッセージを表示した差替シートを差替え自在に挿入保持することができる差替スペースを有するメッセージシートであって，
該メッセージシートは，貼着対象物に対して着脱自在な貼着材層を表側面に設けた透明シートと，該透明シートの裏側面に配設された基材シートとを有し，
上記差替スペースは，上記基材シートと上記透明シートとの間に形成されており，
上記基材シートには，上記差替スペースの外形線の一部に沿って切込みが形成されており，
上記基材シートと上記透明シートとは，上記差替スペース以外の領域において互いに密着固定されていることを特徴とするメッセージシートにある（請求項３）。
【００１９】
上記メッセージシートにおいては，上記第２の発明と同様に，上記透明シートが表側面に貼着材層を設けてなる。そのため，上記透明シートの表側面において，貼着対象物に上記メッセージシートを貼着することができる。それ故，該メッセージシートを，例えば窓ガラス，ショーウィンドウ等の透明な貼着対象物に貼着することにより，上記差替スペースに挿入保持された差替シートのメッセージを，上記窓ガラス等の貼着対象物を介して視認することができる（実施例４参照）。
【００２０】
また，上記メッセージシートは，上記貼着材層を形成していない基材シートに切込みを形成している。そのため，上記メッセージシートを貼着対象物に貼着した状態で，差替シートを差し替える際，より容易に上記差替スペースを開口することができる。
【００２１】
また，上記第１の発明と同様に，上記メッセージシートは上記差替スペースを有するため，一つの上記メッセージシートによって表示するメッセージ内容を，容易かつ安価に適宜変更することができる。
また，上記差替スペースは透明シートによって覆われているため，上記差替スペースに挿入保持された差替シートの表示内容を，表側から視認することができると共に，差替シートを保護することができる。
【００２２】
また，上記差替スペースの外形線の一部に沿って，上記透明シートに切込みが形成されており，上記差替スペース以外の領域において，上記基材シートと透明シートとが密着固定されている。そのため，上記差替スペースを上記切込みから開口させることができ，容易に上記差替シートを差し替えることができる。
【００２３】
また，上記貼着材層は，貼着対象物に対して着脱自在に貼着できるため，上記メッセージシートは，貼着対象物に対する貼着，剥離を自在に行うことができる。
【００２４】
以上のごとく，本発明によれば，貼着対象物に対する貼着，剥離を自在に行うことができ，かつ，表示するメッセージを容易かつ安価に適宜変更することができるメッセージシートを提供することができる。
【００２５】
【発明の実施の形態】
上記第１の発明（請求項１）においては，上記貼着対象物として，例えば，床，壁，窓ガラス，テーブル，棚等がある。
上記第２の発明（請求項２）又は上記第３の発明（請求項３）においては，上記貼着対象物として，例えば，窓ガラス，ショーウィンドウ，ショーケース等がある。
【００２６】
また，上記基材シートとしては，例えば，ポリプロピレン（ＰＰ）シート，ポリエチレンテレフタレート（ＰＥＴ）シート等を用いることができる。
また，上記透明シートとしては，例えば，透明なポリプロピレン（ＰＰ）シート，ポリエチレンテレフタレート（ＰＥＴ）シート等を用いることができる。
また，上記差替シートとしては，例えば，広告，案内，通路表示等のメッセージを印刷した用紙等を用いることができる。
また，上記貼着材層は，上記基材シートの裏側面あるいは透明シートの表側面の全面に配設されていることが好ましい。
【００２７】
また，上記差替スペースは四角形状であり，上記切込みは四角形状の上記差替スペースの３辺に沿って形成されていることが好ましい（請求項４）。
この場合には，上記差替スペースに差替シートを挿入しやすくすることができる。
【００２８】
また，上記貼着材層は，ミクロ吸盤によって形成されていることが好ましい（請求項５）。
この場合には，上記メッセージシートを貼着対象物に貼着した後，剥離しても，貼着対象物に糊などの残存物が全く残らないという利点がある。また，半永久的に貼着，剥離を繰り返すことができる。
【００２９】
上記ミクロ吸盤は，メッセージシートの基材シートの裏側面又は透明シートの表側面に形成した，例えば直径５〜１００ミクロンの無数の微細気泡を有する発泡樹脂層であって，その表面（貼着面）に吸盤機能を持った直径５〜１００ミクロンの無数の微細な凹状陥没孔を形成した柔軟な層によって形成されている。
【００３０】
また，上記貼着材層は，ウレタン糊によって形成されていてもよい（請求項６）。
この場合には，安価なメッセージシートを得ることができる。
【００３１】
また，上記メッセージシートは，０．１〜１．５ｍｍの厚みを有することが好ましい（請求項７）。
この場合には，上記メッセージシートを使用する際，該メッセージシートが貼着対象物の表面から突出しすぎて邪魔になることはなく，かつ充分な強度を確保することができる。
そのため，例えば，上記メッセージシートを床面に貼着して用いる場合，靴底によってメッセージシートが剥離されたり，また，靴底がメッセージシートの端部に引っかかるということもない。
【００３２】
上記メッセージシートの厚みが０．１ｍｍ未満の場合には，上記メッセージシートの強度が不充分となり，破損し易くなるおそれがある。一方，上記厚みが１．５ｍｍを超える場合には，メッセージシートが貼着対象物の表面から突出しすぎて邪魔になるおそれがある。
また，例えば，上記基材シートの厚みは０．０５〜０．２ｍｍ，上記貼着材層の厚みは０．０５〜０．３ｍｍ，上記透明シートの厚みは０．１〜０．３ｍｍとすることができる。
【００３３】
【実施例】
（実施例１）
本発明の実施例にかかるメッセージシートにつき，図１〜図７を用いて説明する。
上記メッセージシート１は，図１，図２に示すごとく，任意のメッセージを表示した差替シート５を差替え自在に挿入保持することができる差替スペース１１を有する。
【００３４】
該メッセージシート１は，図３〜図５に示すごとく，貼着対象物である床４１に対して着脱自在な貼着材層１３を裏側面に設けた基材シート２と，該基材シート２の表側面に配設された透明シート３とを有する。
上記差替スペース１１は，上記基材シート２と上記透明シート３との間に形成されている。なお，図１，図２の符号４１１は床目地である。
【００３５】
上記基材シート２には，図３〜図７に示すごとく，上記差替スペース１１の外形線の一部に沿って切込み１２が形成されている。
そして，上記基材シート２と上記透明シート３とは，上記差替スペース１１以外の領域において互いに密着固定されている。
上記基材シート２と上記透明シート３とは，アクリル系接着剤によって密着固定されている。
【００３６】
上記基材シート２としては，ポリプロピレンシートを用い，上記透明シート３としては，透明なポリプロピレンシートを用いている。
また，上記差替シート５としては，例えば「クリスマスフェア開催中」などのメッセージを印刷した用紙を用いることができる。
図６に示すごとく，上記差替スペース１１は四角形状であり，図６，図７に示すごとく，上記切込み１２は四角形状の上記差替スペース１１の３辺に沿って形成されている。
【００３７】
また，上記メッセージシート１は，約０．６ｍｍの厚みを有する。上記基材シート２の厚みは約０．２ｍｍ，上記貼着材層１３の厚みは約０．２ｍｍ，上記透明シート３の厚みは約０．２ｍｍである。
【００３８】
また，上記貼着材層１３は，上記基材シート２の裏側面の全面に形成されている。そして，該貼着材層１３は，ミクロ吸盤によって形成されている。
上記ミクロ吸盤は，基材シート２の裏側面に形成した，直径５〜１００ミクロンの無数の微細気泡を有する発泡樹脂層であって，その表面（貼着面）に吸盤機能を持った直径５〜１００ミクロンの無数の微細な凹状陥没孔を形成した柔軟な層によって形成されている。
また，未使用のメッセージシート１の上記貼着剤層１３の貼着面には，保護フィルムが配設されており（図示略），メッセージシート１の使用時には，上記保護フィルムを剥がす。
【００３９】
また，上記メッセージシート１における差替えスペース１１以外の領域には，図１，図２，図６に示すごとく，予め文字，図形，記号等の模様１４を印刷しておくこともできる。そして，上記差替シート５のメッセージと上記メッセージシート１自体に印刷された模様１４との組み合わせにより，一つのメッセージを表すことも可能である。
【００４０】
次に，本例の作用効果につき説明する。
上記メッセージシート１は，上述のごとく，任意のメッセージを表示した差替シート５を差替え自在に挿入保持することができる差替スペース１１を有する。そのため，一つの上記メッセージシート１によって表示するメッセージ内容を，容易かつ安価に適宜変更することができる。
それ故，メッセージ内容を変更したい場合にも，上記差替シート５を差替えるだけで済むため，多種のメッセージシートを用意する必要がなく，広告費用等を削減することができる。
【００４１】
例えば，上記差替シート５として，「クリスマスフェア開催中」，「お正月フェア開催中」，「バレンタインフェア開催中」，「お中元フェア開催中」等のメッセージをそれぞれ印刷用紙に印刷したものを用意し，これらを差し替えるだけで，時期によって異なるイベント開催内容に応じて，適宜，容易にメッセージ内容を変更することができる。しかも，上記差替シート５には，特別な材質，性質等が要求されないため，メッセージ内容を安価に変更することができる。
【００４２】
また，上記差替スペース１１は透明シート３によって覆われている。そのため，上記差替スペース１１に挿入保持された差替シート５の表示内容を，表側から視認することができると共に，差替シート５を保護することができる。即ち，上記メッセージシート１を踏まれても，差替シート５が汚れたり，破れたりすることがない。
【００４３】
また，上記差替スペース１１の外形線の一部に沿って，上記基材シート２に切込み１２が形成されており，上記差替スペース１１以外の領域において，上記基材シートと透明シートとが密着固定されている。そのため，図１，図４に示すごとく，上記差替スペース１１は，該差替スペース１１の領域における基材シート２と透明シート３とを分離することにより，上記切込み１２から開口させることができる。これにより，容易に上記差替シート５を差し替えることができる。
【００４４】
また，上記貼着材層１３は，床４１に対して着脱自在に貼着できるため，上記メッセージシート１は，床４１に対する貼着，剥離を自在に行うことができる。従って，上記メッセージシート１を自由な位置に適宜変更して貼着することができる。
【００４５】
また，上記メッセージシート１を，例えば，デパート，スーパーマーケット，ホテル，地下街通路などの床面に貼着して使用する場合にも，貼着・剥離が自在なため，その貼着位置を，広告，案内，通路表示などのメッセージ内容に応じて任意に変更することができる。
【００４６】
また，上記差替スペース１１は四角形状であり，上記切込み１２は四角形状の差替スペース１１の３辺に沿って形成されている。そのため，上記差替スペース１１に差替シート５を挿入しやすくすることができる。
また，上記貼着材層１３は，ミクロ吸盤によって形成されているため，上記メッセージシート５を床４１に貼着した後，剥離しても，貼着対象物に糊などの残存物が全く残らないという利点がある。また，半永久的に貼着，剥離を繰り返すことができる。
【００４７】
また，上記メッセージシート１は，厚みが約０．６ｍｍと薄いため，上記メッセージシート１を使用する際，該メッセージシート１が床４１の表面から突出しすぎて邪魔になることはない。また，特に薄すぎることもないため容易に破損っすることもない。
【００４８】
以上のごとく，本例によれば，貼着対象物に対する貼着，剥離を自在に行うことができ，かつ，表示するメッセージを容易かつ安価に適宜変更することができるメッセージシートを提供することができる。
【００４９】
（実施例２）
本例は，図８に示すごとく，上記実施例１に示したメッセージシート１を壁４２に貼着した例である。
上記メッセージシート１の貼着方向は，差替スペース１１における切込み１２が入っていない辺が下側となるような向きにすることが好ましい。差替シート５の差し替え時に，差替シート５が落下し難いからである。
その他は，実施例１と同様である。
本例の場合にも，実施例１と同様の作用効果を得ることができる。
なお，上記メッセージシート１は，床４１や壁４２以外にも，窓ガラス，テーブル，棚等，種々の貼着対象物に貼着することができる。
【００５０】
（実施例３）
本例は，図９，図１０に示すごとく，透明な窓ガラス４３に貼着し，該窓ガラス４３を介してメッセージを視認させるメッセージシート１０の例である。
該メッセージシート１０は，貼着対象物である透明な窓ガラス４３に対して着脱自在な貼着材層１３を表側面に設けた透明シート３と，該透明シート３の裏側面に配設された基材シート２とを有する。
上記透明シート３には，上記差替スペース１１の外形線の一部に沿って切込み１２が形成されている。
【００５１】
即ち，本例のメッセージシート１０は，実施例１のメッセージシート１における基材シート２と透明シート３との配置を入れ替えた構成を有する。
また，上記基材シート２の厚みは約０．２ｍｍであり，上記透明シート３の厚みは約０．２ｍｍである。また，上記貼着材層１３は透明である。
【００５２】
そして，上記メッセージシート１０は，上記貼着材層１３を窓ガラス４３に密着させることにより，該窓ガラス４３に貼着する。
上記メッセージシート１の貼着方向は，図９，図１０に示すごとく，差替スペース１１における切込み１２が入っていない辺が下側となるような向きにすることが好ましい。
【００５３】
上記メッセージシート１０は，例えば店先の窓ガラス４３に，店内側から貼着し，店頭の来客，通行人に，窓ガラス４３を介してメッセージを視認させる。
上記差替シート５を差し替える際には，図１０に示すごとく，差替スペース１１の領域における透明シート３から基材シート２を分離させ，差替スペース１１を，上記切込み１２から開口する。
その他は，実施例１と同様である。
【００５４】
上記メッセージシート１０においては，上記透明シート３が表側面に貼着材層１３を設けてなる。そのため，上記透明シート３の表側面において，窓ガラス４３に上記メッセージシート１０を貼着することができる。それ故，該メッセージシート１０を，窓ガラス４３に貼着することにより，上記差替スペース１１に挿入保持された差替シート５のメッセージを，上記窓ガラス４３を介して視認することができる。
その他，実施例１と同様の作用効果を有する。
なお，上記メッセージシート１０は，透明な貼着対象物であれば，例えばショーケース等，窓ガラス以外のものにも貼着して使用することができる。
【００５５】
（実施例４）
本例は，図１１，図１２に示すごとく，透明な窓ガラス４３に貼着し，該窓ガラス４３を介して視認させるメッセージシート１００の例である。
該メッセージシート１００は，貼着材層１３を表側面に設けた透明シート３と，該透明シート３の裏側面に配設された基材シート２とを有する。
該基材シート２には，差替スペース１１の外形線の一部に沿って切込み１２が形成されている。
【００５６】
即ち，本例のメッセージシート１００は，実施例１のメッセージシート１において基材シート２の裏側面に設けられていた貼着材層１３を，透明シート３の表側面に配設した構成を有する。
また，上記基材シート２の厚みは約０．３ｍｍであり，上記透明シート３の厚みは約０．２ｍｍである
その他は，実施例３と同様である。
【００５７】
上記メッセージシート１００は，上記貼着材層１３を形成していない基材シート２に切込み１２を形成している。そのため，上記メッセージシート１００を窓ガラス４３に貼着した状態で，差替シート５を差し替える際，より容易に上記差替スペース１１を開口することができる。
その他，実施例３と同様の作用効果を有する。
【図面の簡単な説明】
【図１】実施例１における，差替シートを差し替える際のメッセージシートの斜視図。
【図２】実施例１における，床に貼着されたメッセージシートの斜視図。
【図３】図１のＡ−Ａ線矢視断面図。
【図４】図２のＢ−Ｂ線矢視断面図。
【図５】図２のＣ−Ｃ線矢視断面図。
【図６】実施例１における，メッセージシートの正面図。
【図７】実施例１における，メッセージシートの裏面図。
【図８】実施例２における，壁に貼着されたメッセージシートの縦断面図。
【図９】実施例３における，窓ガラスに貼着されたメッセージシートの縦断面図。
【図１０】実施例３における，差替シートを差し替える際のメッセージシートの縦断面図。
【図１１】実施例４における，窓ガラスに貼着されたメッセージシートの縦断面図。
【図１２】実施例４における，差替シートを差し替える際のメッセージシートの縦断面図。
【図１３】従来例における，メッセージシートの縦断面図。
【符号の説明】
１，１０，１００．．．メッセージシート，
１１．．．差替スペース，
１２．．．切込み，
１３．．．貼着材層，
２．．．基材シート，
３．．．透明シート，
４１．．．床，
４２．．．壁，
４３．．．窓ガラス，
５．．．差替シート，
【図１】
2004184571.tif 000003
【図２】
2004184571.tif 000004
【図３】
2004184571.tif 000005
【図４】
2004184571.tif 000006
【図５】
2004184571.tif 000007
【図６】
2004184571.tif 000008
【図７】
2004184571.tif 000009
【図８】
2004184571.tif 000010
【図９】
2004184571.tif 000011
【図１０】
2004184571.tif 000012
【図１１】
2004184571.tif 000013
【図１２】
2004184571.tif 000014
【図１３】
2004184571.tif 000015